(57)【要約】【課題】基板の剛性を高め、商品前出し体が基板から外れ難く、設置安定性の高い商品前出し具を提供すること。【解決手段】商品が載置される基板１と、基板上を前後に移動自在に取り付けられる基板部２１と、基板部から上方に延びる商品押圧板２２を備える商品前出し体２を有し、基板は、中央で前後方向に延びる開口部により形成される左右の小基板１１ａ、１１ｂと、左の小基板又は右の小基板の裏面に形成される前後方向に延びる長溝１６と、を有し、商品前出し体の基板部は、商品押圧板が付設される上部基板部と、上部基板部の裏面から下方に延び次いで横方向外側に屈曲して延びる左右一対の下部基板部と、を有し、左の下部基板部又は該右の下部基板部には、長溝に係止する係止突起２１４が形成され、左右の小基板の内側の角部が、上部基板部と該下部基板部間に挿通され、係止突起２１４が長溝１６に係止する商品前出し具１０。【選択図】図４
2020171363.tif 000002
【特許請求の範囲】
【請求項１】
設置面に載置される商品前出し具であって、
設置面に載置されると共に、商品が載置される基板と、
該基板上を前後に移動自在に取り付けられる基板部と、該基板部の後端から上方に延びる前方の商品を押圧する商品押圧板を備える商品前出し体と、を有し、
該基板は、左右方向の中央で前後方向に延びる開口部により形成される左右の小基板と、該左の小基板又は該右の小基板の裏面に形成される前後方向に延びる長溝と、を有し、
該商品前出し体の基板部は、該商品押圧板が付設される上部基板部と、該上部基板部の裏面から下方に延び次いで横方向外側に屈曲して延びる左右一対の下部基板部と、を有し、
該左の下部基板部又は該右の下部基板部には、該長溝に係止する係止突起が形成され、該左右の小基板の内側の角部が、該上部基板部と該下部基板部間に挿通され、該係止突起が該長溝に係止して、該商品前出し体が基板に対して前後移動自在に係止することを特徴とする商品前出し具。
【請求項２】
該長溝は、該開口部の近傍に付設されることを特徴とする請求項１記載の商品前出し具。
【請求項３】
該基板の裏面で、且つ該長溝の左右方向の外側に凹部を形成し、該凹部を形成することで得られる該長溝と該凹部間に前後方向に延びる補強突起壁を、更に有することを特徴とする請求項１又は２記載の商品前出し具。
【請求項４】
該長溝は、天面を有し下方が開口する矩形断面形状であることを特徴とする請求項１〜３のいずれか１項に記載の商品前出し具。
【請求項５】
該係止突起は、該左の下部基板部又は該右の下部基板部の上面又は端部から上方に起立する小突起であることを特徴とする請求項１〜４のいずれか１項に記載の商品前出し具。
【請求項６】
該基板又は該基板の一方の側端から起立した側板に前後移動自在に付設される、該商品前出し体を前方に引き出す引き出し体と、を有することを特徴とする請求項１〜５のいずれか１項に記載の商品前出し具。
【発明の詳細な説明】
【技術分野】
【０００１】
本発明は、スーパーやコンビニの商品陳列に使用される基板上を前後移動する商品前出し体の設置安定性を高めた商品前出し具に関するものである。
【背景技術】
【０００２】
量販店、コンビニ、スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
【０００３】
しかしながら、新しい商品を後方の空間へ補充する作業は、前方にある商品が邪魔をして行い難い。また、奥にある商品を手前に移すのも大変な作業となっている。近年、このような新しい商品の補充を行い易くしたり、商品を常に前出し状態にする方法として、固定された商品陳列棚に商品前出し機能を有する商品前出し具を設置して、陳列商品を手動又は自動的に前に押し出すものが知られている。
【０００４】
例えば、ＷＯ２００６/０２７８７２公報には、商品を陳列する基板と、該基板に載置され、自然状態において常に前方移動状態にある商品押圧板を備える商品前出し体と、を有し、該商品前出し体の底板の裏面又は該基板の上面のいずれか一方又は両方に滑り手段を付設し、更に該基板の前方部に、更に商品転落防止板を付設した商品自動前出し具が開示されている。この商品自動前出し具によれば、基板上に商品が前後方向に多量に並ぶ場合であっても、陳列商品を自動的に確実に前に送り出す作用力があり、作業者の前出し作業の労力を軽減すると共に、顧客にとっては商品が取り出し易いものとなる。
【０００５】
ＷＯ２００７/２０７２５公報には、商品を載置する基板と、該基板上に常に前方移動状態に置かれる自動商品押圧体と、該自動商品押圧体の後方に位置し、手動による引き出し操作により前方移動して該自動商品押圧体又は陳列商品を押し出す手動押圧体と、を有することを特徴とする商品前出し具が開示されている。この商品前出し具によれば、前出しが容易な商品は作業者等の手を煩わせることなく自動的に前出しができ、押出し力が弱く自動前出しができない商品にのみ、補助的に手動操作で前出しすることができる。このため、重量物や袋状物のようにはみ出し部がある商品であっても、それほどの労力をかけることなく、全ての陳列商品を確実に前出しできる。このため、あらゆる形状や重量の陳列商品が並ぶ商品陳列棚を整然とした前出し状態とすることができる。
【先行技術文献】
【特許文献】
【０００６】
【特許文献１】ＷＯ２００６/０２７８７２号公報（請求項５）
【特許文献２】ＷＯ２００７/２０７２５号公報（請求項１）
【特許文献３】ＷＯ２００６/２８２４６号公報（請求項１）
【特許文献４】特開２０１５-２９８７５号公報（請求項１）
【発明の開示】
【発明が解決しようとする課題】
【０００７】
図１５に示すように、特開２０１５-２９８７５号公報などの従来の商品前出し具１００は、基板１１０において、左右方向の中央の開口部１０５の両側の小基板１０１の内側の側面に形成された左右の係止溝１０４ａ、１０４ｂに、商品前出し体１０２の横Ｌ字形状の係止レール１０３ａ、１０３ｂが前後方向、移動自在に係止されている。このような商品前出し具１００は、基板１１０の剛性が高いとは言えず、例えば、図１６に示すように、左右の小基板１０６ａ、１０６ｂに対して、左右方向の外側に広がるような外力が作用すると、開口部１０５の開口幅が大となり、商品前出し体１０２は、基板１１０から外れるという問題があった。このような問題は、図１５に示す係止構造に限定されず、中央の開口部を有する基板の全てにおいて生じる問題であった。
【０００８】
従って、本発明の目的は、基板の剛性を高め、商品前出し体が基板から外れ難く、設置安定性の高い商品前出し具を提供することにある。
【課題を解決するための手段】
【０００９】
すなわち、本発明は、上記従来の課題を解決するものであって、設置面に載置される商品前出し具であって、設置面に載置されると共に、商品が載置される基板と、該基板上を前後に移動自在に取り付けられる基板部と、該基板部の後端から上方に延びる前方の商品を押圧する商品押圧板を備える商品前出し体と、を有し、該基板は、左右方向の中央で前後方向に延びる開口部により形成される左右の小基板と、該左の小基板又は該右の小基板の裏面に形成される前後方向に延びる長溝と、を有し、該商品前出し体の基板部は、該商品押圧板が付設される上部基板部と、該上部基板部の裏面から下方に延び次いで横方向外側に屈曲して延びる左右一対の下部基板部と、を有し、該左の下部基板部又は該右の下部基板部には、該長溝に係止する係止突起が形成され、該左右の小基板の内側の角部が、該上部基板部と該下部基板部間に挿通され、該係止突起が該長溝に係止して、該商品前出し体が基板に対して前後移動自在に係止することを特徴とする商品前出し具を提供するものである。
【００１０】
また、本発明は、該長溝は、該開口部の近傍に付設されることを特徴とする前記商品前出し具を提供するものである。
【００１１】
また、本発明は、該基板の裏面で、且つ該長溝の左右方向の外側に凹部を形成し、該凹部を形成することで得られる該長溝と該凹部間に前後方向に延びる補強突起壁を、更に有することを特徴とする前記商品前出し具を提供するものである。
【００１２】
また、本発明は、該長溝は、天面を有し下方が開口する矩形断面形状であることを特徴とする前記商品前出し具を提供するものである。
【００１３】
また、本発明は、該係止突起は、該左の下部基板部又は該右の下部基板部の上面又は端部から上方に起立する小突起であることを特徴とする前記商品前出し具を提供するものである。
【００１４】
また、本発明は、該基板又は該基板の一方の側端から起立した側板に前後移動自在に付設される、該商品前出し体を前方に引き出す引き出し体と、を有することを特徴とする前記商品前出し具を提供するものである。
【発明の効果】
【００１５】
本発明によれば、基板を構成する左右の小基板のいずれか又は両方の裏面に長手方向に延びる長溝を形成し、この長溝に商品前出し体の下部基板部の係止突起が係止するようにしたため、基板と商品前出し体の係止箇所が増えると共に、長溝を構成する縦壁が、補強リブの機能を果たし、基板の剛性が高まる。このため、商品前出し体が基板から外れ難く、設置安定性の高い商品前出し具を提供できる。
【図面の簡単な説明】
【００１６】
【図１】本発明の実施の形態における商品前出し具の斜視図である。
【図２】図１の商品前出し具を前方裏面から後方へ見た他の斜視図である。
【図３】図２の後方部の部分拡大図である。
【図４】図１のＸ線に沿って見た断面図である。
【図５】図１の商品前出し具を構成する側板を有する基板の斜視図である。
【図６】図５の基板のＹ線に沿って見た断面図である。
【図７】図１の商品前出し具を構成する商品前出し体の斜視図である。
【図８】図７の商品前出し体を後方の裏面から見た斜視図である。
【図９】図７の商品前出し体の正面図である。
【図１０】図１の商品前出し具を構成する引き出し体の斜視図である。
【図１１】図１の商品前出し具における前出しを説明する図である。
【図１２】図１の商品が載置された商品前出し具の側面図である。
【図１３】図１２の商品前出し具の前出しを説明する図である。
【図１４】基板の変形例を示す断面図である。
【図１５】従来の商品前出し具の縦断面図である。
【図１６】図１５の従来の商品前出し具の基板の問題点を説明する図である。
【発明を実施するための形態】
【００１７】
次に、本発明の実施の形態における商品前出し具を図１〜図１４を参照して説明する。本明細書中、「前後」、「上下」及び「左右」は、設置面に設置された状態における顧客側を正面とした方向又は位置を言う。商品前出し具１０は、設置面に載置されるものであって、基板１と、商品前出し体２と、引き出し体３と、側板４を有する。
【００１８】
商品前出し具１０において、基板１は、設置面に載置されると共に、商品が載置されるものを言う。基板１は、図５及び図６に示すように、中尺状の板状体の左右方向の中央で前後方向に延びる開口部１２を形成することにより形成されたものであり、左の小基板１１ａと右の小基板１１ｂを備え、両小基板１１ａ、１１ｂの内側角部がガイドレール１１１となるものである。また、基板１の一方の側端から起立した側板４が形成され、側板４の上部には、基板１の前後長さと略同じ長さの中尺板状の引き出し体３を前後方向に移動自在にガイドするガイド溝４１１（第２ガイドレール）が形成されている。ガイド溝４１１の前後方向に所定のピッチで多数形成される扁平台形状の貫通孔は、引き出し体３の引き出しに伴う摩擦を低減するための孔である。
【００１９】
商品前出し具１０において、基板１の前端には、商品の転落を防止する高さの低い起立状の転落防止板８が形成され、転落防止板８の前面には、商品前出し具１０を、例えば棚板の前レールに固定するための係止片９が形成されている。また、基板１の後端で左右方向の中央には、バネ部材であるコイルバネ７の一端（後端）を固定するバネ第１係止部１１３が形成されている。コイルバネ７は、基板１と引き出し体３を接続し、引き出し体３は、引き出す際、コイルバネ７のバネ力に抗して引き出され、手を放すことで、引き出し体は元の位置に自動的に、復帰する。
【００２０】
商品前出し具１０において、基板１の左の小基板１１ａの裏面には、天面を有し下方が開口する前後方向に延びる略矩形断面形状の長溝１６が形成されている。長溝１６には、商品前出し体２の基板部２１の裏面に形成される下部基板部２１２ａの係止突起２１４が係止し、基板１に剛性を与えると共に、基板１に対する商品前出し体２の係止安定性を高め、商品前出し体２が脱落しないようにしている。
【００２１】
長溝１６は、開口部１２の近傍に付設されることが、長溝１６と開口部１２間に位置する前後方向に延びる第１突起壁１１５が補強用のリブとして機能する点で、好ましい。また、図１４に示すように、長溝１６の左右方向の外側に凹部１７を形成することで、長溝１６と凹部１７間に位置する前後方向に延びる第２突起壁（補強突起壁）１１６が補強用のリブとして機能する点で、好ましい。
【００２２】
商品前出し具１０において、商品前出し体２は、基板１上又は基板１中を前後に移動自在に取り付けられる基板部２１と、基板部２１の後端から上方又はやや後方傾斜状に延びる前方の商品を押圧する商品押圧板２２を備えるものである。基板部２１の裏面には、引き出し体３と当接する第１当接部２４を有する。これにより、商品前出し体２は、引き出し体３と基板の裏面で当接する。
【００２３】
商品前出し体２は、具体的には、図７及び図８に示すように、商品押圧板２２が付設される上部基板部２１１と、上部基板部２１１の裏面から下方に延び次いで横方向外側に屈曲して延びる左右一対の下部基板部２１２ａ、２１２ｂと、を有する。これにより、上部基板部２１１と左右一対の下部基板部２１２ａ、２１２ｂ間の隙間２１３ａ、２１３ｂに、基板１のガイドレール１１１が係止することができる。
【００２４】
商品前出し体２において、左側の下部基板部２１２ａの左側の先端には、該先端から上方に少し起立し、下部基板部２１２ａの前後方向に延びる係止突起２１４が形成されている。この係止突起２１４は、基板１の裏面に形成された長溝１６に係止し、基板１から商品前出し体２が脱落しないような安定な係止を実現する。また、右側の下部基板部２１２ｂは、前後方向長さ途中で、切り欠かれており、下部基板部２１２ａの長さの半分程度の長さとなっている。これにより、下部基板部２１２ｂの後端には、第１当接部２４が形成されることになる。第１当接部２４は、斜め傾斜面を有する凹面を形成しており、引き出し体３の第２当接部２１２ｂと当接することで、商品前出し体２と引き出し体３の接続（当接）が可能となる。また、下部基板部２１２ｂの前後方向の長さを短くすることで、第１当接部２４が、商品押圧板２２より、前方に位置することになり、商品前出し体２を前方側から引っ張ることができ、商品前出し体２の前方移動が円滑となる。また、商品前出し具１０において、下部基板部２１２ａ、２１２ｂは、基板１より下方に突出する部分がなく、前後移動する際、下部基板部２１２ａ、２１２ｂが障害となることはない。
【００２５】
商品前出し具１０において、引き出し体３は、側板４の前後方向に延びるガイド溝（第２ガイドレール）４１１に前後に移動自在に係止する引き出し体本体部３１と、基板１の裏側に配設される係止板状体３２と、引き出し本体３１部と係止板状体３２を接続する側板４の外側に配設される外側連結帯部３３とを有し、係止板状体３２の前端部が、第２当接部３４となる。外側連結帯部３３と係止板状体３２は、背面視で略Ｌ字断面形状となっている。引き出し体本体部３１は、中尺状の板状体であり、先端には、把持部３９が形成さている。また、外側連結帯部３３は、引き出し体本体部３１の後方部の下端から下方に延びる略板状体である。本例の外側連結帯部３３は、前後方向の中央部を基板１の側板４と接触しない凹部とすることで、摩擦抵抗を低減している。また、係止板状体３２の前端の左端には、コイルバネ７の他端（前端）を固定するバネ第２係止部３５が付設され、係止板状体３２の前端の右半分には、係止板状体３２より起立する小突起３７が形成されている。なお、符号３６は係止板状体３２の後端の左端において起立する小突起であり、基板１の裏面に形成された溝レールに前後移動自在に係止し、引き出し体３の引き出し操作を円滑にする。すなわち、外側連結帯部３３は板状体であり、上端が前方へ引っ張られるため、捻じれが生じて、側板との摩擦抵抗が大きくなる傾向にあり、小突起３６は、この捻じれを防止する機能を果たす。第２当接部３４は、バネ第２係止部３５と小突起３７の間に位置する、係止板状体３２の先端部であり、該第１当接部２４の当接面（凹面）に対応する凹面を有する。
【００２６】
商品前出し具１０において、商品前出し体２の基板部２１の裏面の第１当接部２４と、引き出し体３の第２当接部３４は、該商品押圧板２２より前方位置で当接しており、引き出し体３を前方へ引き出すことで、商品前出し体２が前方へ引き出され、商品押圧板２２の前方に位置する載置商品が前出しされる。また、商品前出し具１０は、図１４に示すように、商品前出し体２の基板部２１の裏面の第１当接部２４と、引き出し体３の第２当接部３４を、商品押圧板２２より前方位置の当接位置としたため、待機状態において、商品押圧板２２を基板１の後方端近傍とすることができる。このため、商品押圧板２２の後方のデッドスペースを無くし、基板１上の載置商品の設置スペースを大きくでき、陳列効率を高めることができる。
【００２７】
次に、商品前出し具１０の使用方法について図１２及び図１３を参照して説明する。商品前出し具１０において、商品押圧板２２の前方には載置商品Ａが陳列されている。載置商品Ａは、基板１上に載っている。この際、引き出し体３は、コイルバネ７により、待機状態である基板１と同化するかのように、奥側に収容されている。商品群は前方の商品が売れることで、前方にスペースができる。この場合、顧客は、引き出し体３を把持して前方に引き出し、前方の商品を取ることができる。あるいは、作業者は、引き出し体３を前方に引き出し、手を放して、引き出し体３を自動的に、元の位置に復帰させ、最後尾の商品と商品押圧板２２の間のスペースに商品を補充することができる。
【００２８】
本発明は、上記実施の形態例に限定されず、種々の変形を採ることができる。商品前出し具１０において、基板１と商品前出し体２が必須の構成要素であり、側板４、引き出し体３、コイルバネ７及び引き出し体３と商品前出し体２を接続する外側連結帯部３３は、任意の構成要素であり、省略できる。すなわち、コイルバネ７を省略した場合、手動で引き出しができる。これにより、引き出し体３を手前に引き出した後は手動で引き出し体３を元に位置に戻すことになる。商品前出し具１０において、側板４の高さは低くてもよく、実質的に、側板４の無いものであってもよい。商品前出し具１０において、商品押圧板２２を背後から前方へ押す押す部を設置し、この押す部に引き出し体３が接続されていてもよい。この場合、外側連結帯部３３、第１当接部及び第２当接部は不要であり、例えば、図１５に示すように、左右の小基板１１ａ、１１ｂは対称形とすることができる。この場合、長溝１６は、右の小基板１１ｂに形成してもよく、左右の小基板１１ａ、１１ｂの双方に形成してもよい。係止突起２１４は、下部基板部２１２ａの外側先端に付設される以外、下部基板部２１２ａの面上であってもよい。この係止突起２１４は、右の下部基板部２１２ｂに付設する場合も、同様に、先端又は基板部の上面であってもよい。
【産業上の利用可能性】
【００２９】
本発明によれば、基板を構成する左右の小基板のいずれか又は両方の裏面に長手方向に延びる長溝を形成し、この長溝に商品前出し体の下部基板部の係止突起が係止するようにしたため、基板と商品前出し体の係止箇所が増えると共に、長溝を構成する縦壁が、補強リブの機能を果たし、基板の剛性が高まる。このため、商品前出し体が基板から外れ難く、設置安定性の高い商品前出し具を提供できる。
【符号の説明】
【００３０】
１        基板
２        商品前出し体
３        引き出し体
４        側板
６        長溝
７        コイルバネ（バネ部材）
８        転落防止板
７        コイルバネ（バネ部材）
１０      商品前出し具
１１ａ    左の小基板
１１ｂ    右の小基板
２１      基板部
２２      商品押圧板
２１１    上部基板部
２１２（２１２ａ、２１２ｂ）    下部基板部
【図１】
2020171363.tif 000003
【図２】
2020171363.tif 000004
【図３】
2020171363.tif 000005
【図４】
2020171363.tif 000006
【図５】
2020171363.tif 000007
【図６】
2020171363.tif 000008
【図７】
2020171363.tif 000009
【図８】
2020171363.tif 000010
【図９】
2020171363.tif 000011
【図１０】
2020171363.tif 000012
【図１１】
2020171363.tif 000013
【図１２】
2020171363.tif 000014
【図１３】
2020171363.tif 000015
【図１４】
2020171363.tif 000016
【図１５】
2020171363.tif 000017
【図１６】
2020171363.tif 000018